(57)【要約】【課題】同一機種で異なる役構成や配当を有するスロットマシンを、簡単な作業で、しかも低コストで提供する。【解決手段】機枠に開閉自在に取り付けられた前扉２の前側に装飾が施されたメインパネル８０が取り付けられたパチスロ遊技機において、メインパネルと別体で前扉に着脱自在に配設された上側配当表示パネル９０を備え、メインパネルは、上側配当表示パネルを後方側からネジ止めするための取付用ネジが挿通される挿通孔を備え、上側配当表示パネルは、挿通孔に挿通された取付用ネジが螺合するネジ穴を有し、当該上側配当表示パネルを前扉に取り付けるための上側フレーム９１を備え、機枠に対して前扉を開状態とし、ネジ穴と取付用ネジの螺合を解除することにより、前扉から取り外される。【選択図】図４
2008284023.tif 000002
【特許請求の範囲】
【請求項１】
機枠に開閉自在に取り付けられた前扉の前側に装飾が施された前面パネルが取り付けられたスロットマシンにおいて、
前記前面パネルと別体で前記前扉に着脱自在に配設された配当表示パネルを備え、
前記前面パネルは、前記配当表示パネルを後方側からネジ止めするための取付用ネジが挿通される挿通孔を備え、
前記配当表示パネルは、
前記挿通孔に挿通された前記取付用ネジが螺合するネジ穴を有し、当該配当表示パネルを前記前扉に取り付けるためのパネル取付部を備え、前記機枠に対して前記前扉を開状態とし、前記ネジ穴と前記取付用ネジの螺合を解除することにより、前記前扉から取り外されることを特徴とするスロットマシン。
【請求項２】
前記パネル取付部は、当該パネル取付部の下部の所定位置から後方に突出した突起部を備え、
前記前扉は、前記配当表示パネルの上端部が係合するスリット状の係合凹部を備え、
前記前面パネルは、前記突起部が係合する係合穴部を備えることを特徴とする請求項１に記載のスロットマシン。
【発明の詳細な説明】
【技術分野】
【０００１】
本発明は、装飾が施されたメインパネルが前扉に取り付けられたスロットマシンに関する。
【背景技術】
【０００２】
従来のスロットマシンにおいては、機種毎に遊技者に利益を付与する役構成や配当を異ならせることで、遊技内容を変化に富んだものとしたり、遊技者の遊技意欲を向上させるようにしたりしている。
また、スロットマシンの略中央、遊技者が最も見やすい位置に、遊技が行われるリールを視認可能な表示窓部を有するメインパネルやその上下にパネルを配設して機種毎に様々な装飾を施し、遊技者の目を引くようなスロットマシンを提供している。
【０００３】
このように構成されるスロットマシンにおいて、メインパネルや上下のパネルに装飾表示と役構成、配当等を表示するようにしている。例えば、メインパネルにリール表示窓や役構成、その他遊技に関する情報を表示したり（例えば、特許文献１参照）、上部パネルに入賞図柄組合せ態様を表示したり、下部パネルには遊技者に有利となるようなリーチ目を表示した数値組み合わせ一覧表を貼付したりして、遊技者にその遊技内容を理解しやすいようにしている（例えば、特許文献２参照）。
【特許文献１】特開２００１−２９３１３１号公報
【特許文献２】特開２０００−３４１号公報
【発明の開示】
【発明が解決しようとする課題】
【０００４】
しかし、上記のように構成されるスロットマシンにおいては、機種交換の際にパネルを交換することは当然であるが、同一機種で同一の装飾を施したパネルを使用して、異なる配当やリーチ目を有するスロットマシンを提供しようとした場合、装飾が施されたパネルごと交換する必要があり、コストや作業性の面で大きな問題となる。
特に、メインパネルは遊技者が最も注目する場所であり、機種毎にイメージにあった装飾を施しており、非常にコストがかかるものである。しかし、役構成や配当はメインパネルに表示されており、同一機種で装飾等はそのまま残して使用したい場合にも、メインパネルごと交換しなければならず、無駄の多い構成であり、さらに作業の煩雑さ、コスト的な面でも多くの問題が生じることとなる。
【０００５】
そこで本発明は、上記のような問題点を解決するためになされたもので、同一機種で異なる役構成や配当を有するスロットマシンを、簡単な作業で、しかも低コストで提供することを目的とする。
【課題を解決するための手段】
【０００６】
以上の課題を解決するため、請求項１に記載の発明は、
機枠に開閉自在に取り付けられた前扉の前側に装飾が施された前面パネルが取り付けられたスロットマシンにおいて、
前記前面パネルと別体で前記前扉に着脱自在に配設された配当表示パネルを備え、
前記前面パネルは、前記配当表示パネルを後方側からネジ止めするための取付用ネジが挿通される挿通孔を備え、
前記配当表示パネルは、
前記挿通孔に挿通された前記取付用ネジが螺合するネジ穴を有し、当該配当表示パネルを前記前扉に取り付けるためのパネル取付部を備え、前記機枠に対して前記前扉を開状態とし、前記ネジ穴と前記取付用ネジの螺合を解除することにより、前記前扉から取り外されることを特徴としている。
【０００７】
請求項１に記載の発明によれば、前面パネルと別体で前扉に着脱自在に配設された配当表示パネルを備え、配当表示パネルは、当該配当表示パネルを前扉に取り付けるためのパネル取付部を備えているので、機種毎の交換の際や同一機種で同一装飾のスロットマシンのパネル交換の際に装飾が施された前面パネルを交換する必要がなくなって、配当表示パネルのみを交換することにより、同一機種で配当や役構成の異なるスロットマシンを提供することができる。
また、機枠に対して前扉を開状態とし、配当表示パネルのネジ穴と取付用ネジの螺合を解除することにより、前扉から配当表示パネルを取り外すことができるので、配当表示パネルのみの交換作業を簡便に行うことができ、コストを削減することができる。このとき、前面パネルはそのまま残して使用することができるので、低コストで配当違いのスロットマシンを提供することができる。
【０００８】
請求項２に記載の発明は、請求項１に記載のスロットマシンにおいて、
前記パネル取付部は、当該パネル取付部の下部の所定位置から後方に突出した突起部を備え、
前記前扉は、前記配当表示パネルの上端部が係合するスリット状の係合凹部を備え、
前記前面パネルは、前記突起部が係合する係合穴部を備えることを特徴としている。
【０００９】
請求項２に記載の発明によれば、前扉は、配当表示パネルの上端部が係合するスリット状の係合凹部を備え、前面パネルは、配当表示パネルの突起部が係合する係合穴部を備えているので、配当表示パネルの配設に際して、前扉のスリット状の係合凹部に上端部を係合させ、前面パネルの係合穴部に突起部を係合させることにより、当該配当表示パネルの位置決めを容易に行うことができる。この結果、配当表示パネルの配設作業や交換作業を簡便に行うことができることとなって、作業性を向上させることができる。
【発明の効果】
【００１０】
本発明によれば、機種毎の交換の際や同一機種で同一装飾のスロットマシンのパネル交換の際に装飾が施された前面パネルを交換する必要がなくなって、配当表示パネルのみを交換することにより、同一機種で配当や役構成の異なるスロットマシンを提供することができる。
また、配当表示パネルのみの交換作業を簡便に行うことができ、コストを削減することができる。このとき、前面パネルはそのまま残して使用することができるので、低コストで配当違いのスロットマシンを提供することができる。
【発明を実施するための最良の形態】
【００１１】
以下、図面を参照して、本発明の実施形態について説明する。
本実施形態は、本発明に係るスロットマシンの適例としてのパチスロ遊技機について説明を行うものである。
【００１２】
図１〜図３に示すように、スロットマシンとしてのパチスロ遊技機１は、前面が開放した箱形の機枠８の内部に各種の機器が設けられるとともに、この機枠８の前面に、前扉２が、片開き形式に開閉可能に設けられることで概略構成されている。
【００１３】
前扉２の上部には、中央に演出装置３（図３参照）が配されている。この演出装置３は、モータやセンサ（図示略）を備え、図示しない演出部材を動作することにより遊技の演出を行うことができるようになっている。また、前扉２の上端部の左右には音声を出力するスピーカ４，４が配されている。
【００１４】
また、前扉２の中央部には、後方を視認可能な（例えば透明の）図柄表示窓部５を具備するメインパネル（前面パネル）８０が配設されている。
このメインパネル８０には、図示は省略するが所定の装飾が施され、その内側略中央部に略矩形状の図柄表示窓部５が形成されている。そして、図柄表示窓部５を透して機枠８内に配された変動表示手段６を視認可能となっている。
この変動表示手段６は、複数の識別図柄が外周面に表示された複数の（例えば３つ）円筒形のリール６ａ，６ｂ，６ｃ、すなわち、第１リール（左リール）６ａ、第２リール（中リール）６ｂ、及び、第３リール（右リール）６ｃが、左右方向に沿って配されている。各リール６ａ，６ｂ，６ｃにはそれぞれ、リール用モータ（ステッピングモータ）６４ａ，６４ｂ，６４ｃが設けられていて、各リール６ａ，６ｂ，６ｃを独立して回転駆動ならびに回転停止することが可能となっている。これによって、図柄表示窓部５の奥にて複数種類の図柄を、例えば上から下へと循環するように変動させる（図柄を変動表示させる）ことができるようになっている。なお、複数の識別図柄として、各リール６ａ，６ｂ，６ｃには、特別役図柄と、特別役図柄以外の図柄（例えば、リプレイ、ベル、スイカ、チェリー、ブランク）が配されている。
【００１５】
このような変動表示の開始後、所定の停止操作（後述するリールストップボタン２４ａ，２４ｂ，２４ｃの操作）に基づき、各リール用モータ６４ａ，６４ｂ，６４ｃがリール６ａ，６ｂ，６ｃの回転を停止することで、図柄表示窓部５に所定数の図柄が表示されるようになっている。ここで、各リール６ａ，６ｂ，６ｃは、各々の図柄列中の図柄のうち、連続する所定数（例えば、３つ）の図柄が図柄表示窓部５を介して視認可能となっており、これによって図柄表示窓部５に図柄が上下に３列、左右に３列の計９つ表示されるようになっている。
【００１６】
なお、図柄表示窓部５を透して、第１リール６ａの図柄が視認可能となる部分が第１図柄表示部７ａとなり、第２リール６ｂの図柄が視認可能となる部分が第２図柄表示部７ｂ、第３リール６ｃの図柄が視認可能となる部分が第３図柄表示部７ｃとなる。すなわち、変動表示手段６と図柄表示窓部５が複数の図柄を変動表示可能な複数の図柄表示部７ａ，７ｂ，７ｃを有する変動表示装置７を構成していることとなる。
【００１７】
変動表示装置７にて表示される上下３列、左右３列の計９つの図柄に対しては、複数の有効化可能ラインが設定されている。すなわち、例えば、変動表示装置７における各リール６ａ，６ｂ，６ｃ中段の図柄を横切る有効化可能ライン（中段横ライン）、各リール６ａ，６ｂ，６ｃ上段の図柄を横切る有効化可能ライン（上段横ライン）、各リール６ａ，６ｂ，６ｃ下段の図柄を横切る有効化可能ライン（下段横ライン）、第１リール６ａ下段−第２リール６ｂ中段−第３リール６ｃ上段にかけて各リール６ａ，６ｂ，６ｃを斜めに横切る有効化可能ライン（右上がりの斜めライン）、及び、第１リール６ａ上段−第２リール６ｂ中段−第３リール６ｃ下段にかけて各リール６ａ，６ｂ，６ｃを斜めに横切る有効化可能ライン（右下がりの斜めライン）の５つの有効化可能ラインが設定されている。
【００１８】
そして、ベット数（賭数）に応じて所定数の有効化可能ラインが有効化されて各々有効ラインとなるようになっていて、例えば、ベット数１で中段横ラインが有効化、ベット数２で中段横ラインに加え、上下段横ラインが有効化、ベット数３で上中下段横ラインに加え、右上がり、右下がりラインが有効化される。なお、ベット数が３の場合でのみ遊技が可能な所謂３枚がけ専用としても良く、この場合は常に５つの有効化可能ラインが有効になる。
【００１９】
この有効ライン上に、複数種類設定された役のうち何れかに対応する図柄組合せ態様で図柄が停止表示することにより役が成立し、各図柄組合せ態様に対応した所定数の賞メダル（遊技価値）の払い出し等を行うようになっている。また、特に特別役図柄が有効ライン上に並んだ特別図柄組合せ態様が導出された場合には、遊技者にとって有利にゲームが実行される特別役が成立する。
【００２０】
また、前扉２には、図１、図２及び図４に示すように、メインパネル８０よりも手前側であって上側部分に重なるように上側配当表示パネル９０が着脱自在に配設されている。
【００２１】
上側配当表示パネル９０は、メインパネル８０と別体で設けられ、図５〜図８に示すように、外形が略横長形状をなし、手前側から上側フレーム９１、上側配当表示パネル本体９２、上側ベースパネル９３が前後に重ね合わされることにより形成されている。
【００２２】
上側フレーム９１は、左右方向に長尺な下側フレーム部９１１と、この下側フレーム部９１１の両端部から略真上に延出された左右のフレーム部９１Ｌ、９１Ｒとを備え、正面視略コ字状に形成されている。
下側フレーム部９１１の左右方向の略中央には、略真後ろ（後方）に所定の長さ突出した突起部９１ａが形成されている（図４参照）。また、下側フレーム部９１１の左右のフレーム部９１Ｌ、９１Ｒの付け根部分には、当該上側配当表示パネル９０の前扉２に対する取付に際して、取付用ネジ（図示略）が螺合するネジ穴９１ｂが設けられている（図６参照）。
ここで、上側フレーム９１の突起部９１ａ及びネジ穴９１ｂは、当該上側配当表示パネル９０を前扉２に取り付けるためのパネル取付部を構成している。
【００２３】
上側配当表示パネル本体９２は、上側フレーム９１の内側に配置され、所定の装飾の他、役構成や配当等が表示されたものである。また、上側配当表示パネル本体９２は、外形が略矩形状をなし、下側フレーム部９１１のネジ穴９１ｂに対応させて下側左右両端部が一部切り欠かれている。
【００２４】
上側ベースパネル９３は、上側フレーム９１とともに上側配当表示パネル本体９２を前後方向に挟むものである。また、上側ベースパネル９３は、上側配当表示パネル本体９２の裏面側に配置される広面部９３１と、広面部９３１の左右両端部に連続して形成され上下方向に延在する左右の小面部９３Ｌ、９３Ｒとを備えている。
広面部９３１は、外形が略矩形状をなし、下側フレーム部９１１の突起部９１ａ及びネジ穴９１ｂに対応させて下側略中央部及び左右両端部が一部切り欠かれている。また、広面部９３１の下端部であって、突起部９１ａに対応する切欠きの左右両側には、上側配当表示パネル本体９２を下側から支持する支持部９３ａが前方に延出されている。
【００２５】
そして、上側配当表示パネル本体９２を上側ベースパネル９３の左右の小面部９３Ｌ、９３Ｒの間に支持部９３ａにより支持されるように配置するとともに、上側配当表示パネル本体９２及び上側ベースパネル９３を下側フレーム部９１１により支持されるように上側フレーム９１に配置する。このように、上側配当表示パネル本体９２を上側ベースパネル９３と上側フレーム９１により挟むようにして上側配当表示パネル９０が形成されている。
【００２６】
ここで、上側配当表示パネル９０の前扉２に対する取付方法について説明する。
先ず、前扉２の上側配当表示パネル９０の取付部分の構成について説明する。
前扉２のメインパネル８０の略真上に配設される左右方向に長尺な上部フレーム８１には、上側配当表示パネル９０の上端部が係合するスリット（係合凹部）８１ａが左右方向に沿って形成されている（図４参照）。
メインパネル８０の図柄表示窓部５の上側には、上側配当表示パネル９０の突起部９１ａが係合される係合穴部（図３参照）８０ａが設けられている。
この係合穴部８０ａは、メインパネル８０の左右方向の略中央に配置されている。そして、係合穴部８０ａの左右両側には、上側配当表示パネル９０をネジ止めするための取付用ネジ（図示略）が挿通される挿通孔８０Ｌ、８０Ｒが設けられている。
各挿通孔８０Ｌ、８０Ｒは、メインパネル８０の図柄表示窓部５の左右両端部の略真上に配置されている。
【００２７】
そして、上側配当表示パネル９０の上側フレーム９１及び上側配当表示パネル本体９２の上端部を上部フレーム８１のスリット８１ａに手前側から斜めに差し込むようにして係合させた後、略起立状態となるように当該上側配当表示パネル９０を傾倒させることにより、メインパネル８０の係合穴部８０ａに突起部９１ａを係合させて位置決めする。
その後、メインパネル８０の挿通孔８０Ｌ、８０Ｒに後方側から取付用ネジを挿通させ、所定方向に回転させてネジ穴９１ｂに螺子込むことにより、上側配当表示パネル９０が前扉２に取付固定される。
【００２８】
一方、上側配当表示パネル９０を前扉２から取り外す場合には、先ず、機枠８に対して前扉２を開状態とし、挿通孔８０Ｌ、８０Ｒを介してネジ穴９１ｂに螺子込まれた取付用ネジを所定方向と反対方向に回転させて螺合を解除する。そして、係合穴部８０ａと突起部９１ａの係合及びスリット８１ａと上側配当表示パネル９０の上端部の係合を解除することにより、上側配当表示パネル９０を前扉２から取り外すことができる。
【００２９】
なお、図３にあっては、発光装置７１の導線を中継するための中継装置７２（図４参照）の図示を省略している。
【００３０】
図柄表示窓部５の下側には、前側に突出する段部が形成されていて、その段部の上面が前面棚１４とされている。この前面棚１４には、メダル投入口１５、１ベットボタン（図示略）、マックスベットボタン１６が設けられている。
【００３１】
メダル投入口１５は、前面棚１４における遊技機１の前面側から見て右側（前扉２の開放端側）にあって、メダルを投入してベットする（賭けを行う）ためのものである。このメダル投入口１５から投入されたメダルが通過する経路には、メダルの通過を検出するメダル投入検出センサ５１（図３に図示）が設けられており、このメダル投入検出センサ５１による検出情報をもとにメダルの投入枚数がカウントされる。
【００３２】
なお、メダル投入口１５から最大ベット数（例えば３枚）を超えるメダルが投入された場合であって、クレジット可能な状態とされている場合、最大ベット数を超えた分のメダルは、所定数（例えば５０枚）までクレジットとして遊技機１に記憶され、以降のゲームで使用できるようになっている。また、クレジットとして記憶可能な所定数を超えるメダルが投入された場合は、受け皿２７に返却されるようになっている。また、クレジット不可能な状態とされている場合は、最大ベット数を超えた分のメダルは受け皿２７に返却されるようになっている。
【００３３】
また、１ベットボタンは、操作を一度行う毎に１枚ずつベットすることができるものであり、マックスベットボタン１６は、操作を一度行うことでベット数の限度数（例えば３枚）までベットすることができるものである。
【００３４】
また、前扉２の前面であって、前面棚１４の下側には、クレジットの可、不可を選択するためのクレジット選択ボタン２０、一区切りのゲームを開始するためのスタートレバー２１、メダル投入口１５内でメダル詰まりが発生した場合にこれを解消するためのメダル詰まり解消ボタン２２、前扉２を開くための鍵を差し込む鍵穴２３が設けられている。
【００３５】
さらに、前扉２の前面であって、前面棚１４の下側には、第１リール６ａ、第２リール６ｂ、および、第３リール６ｃとそれぞれ１対１で対応付けられ、対応するリール６ａ，６ｂ，６ｃの回転をそれぞれ停止させて図柄を停止表示させるためのストップボタン、即ち、第１リールストップボタン２４ａ、第２リールストップボタン２４ｂ、および、第３リールストップボタン２４ｃが設けられている。なお、これらリールストップボタン２４ａ，２４ｂ，２４ｃは、例えば、色付きの半透明の樹脂などから構成されている。そして、これらリールストップボタン２４ａ，２４ｂ，２４ｃの奥には、該リールストップボタン２４ａ，２４ｂ，２４ｃの操作により各リールを停止可能な状態であることを、点灯により報知するためのストップボタンＬＥＤ（図示略）がそれぞれ設けられている。
【００３６】
そして、これらのボタン類が設けられた部分の下側には、前扉２の下部領域を構成する下部パネル２５が設けられ、さらに、下部パネル２５の下側であって前扉２の最下部には、灰皿２６とメダルを貯留するための受け皿２７、音声を出力するためのスピーカ４，４が設けられている。
【００３７】
下部パネル２５は、図９〜図１２に示すように、正面視にて角部がわずかに丸くされた略矩形状をなし、手前側から下部パネル枠２５１、装飾パネル２５２、下側ベースパネル２５４が前後に重ね合わされるとともに、下側ベースパネル２５４に下側配当表示パネル２５３が取付けられることにより形成されている。
【００３８】
下部パネル枠（前側パネル）２５１は、正面視にて角部がわずかに丸くされた略矩形状の横長開口部２５１ａを有する額縁状の部材である。また、下部パネル枠２５１の裏面側には、下側ベースパネル２５４と組み合わせるために当該下側ベースパネル２５４の挿通孔２５４ｄに挿通された取付用ネジ２５５が螺子込まれるネジ穴２５１ｂ（図１２（ｂ）参照）が配設されている。
【００３９】
装飾パネル２５２は、正面視にて略矩形状をなす装飾パネル本体２５２ａと、この装飾パネル本体２５２ａに後方側から取付用ネジ２５２ｃによりネジ止めされた立体的な装飾体２５２ｂ等を備えている。
【００４０】
下側配当表示パネル２５３は、正面視にて略矩形状をなす下側配当表示パネル本体２５３ａと、正面視にて左側上下の角部がわずかに丸くされた略矩形状をなすパネル枠２５３ｂ等を備えている。
【００４１】
下側配当表示パネル本体２５３ａは、その前面側に所定の装飾の他、役構成や配当等が表示されたものである。また、下側配当表示パネル本体２５３ａは、その裏面側下部に発給証紙（図示略）が貼付されている。
【００４２】
パネル枠２５３ｂは、正面視にて略矩形状の縦長開口部２５３ｃを有する部材であり、各角部の裏側に取付用ネジ（図示略）が螺合するネジ穴２５３ｄが４つ設けられている。また、パネル枠２５３ｂの上辺部及び下辺部の左右方向の略中央には、下側ベースパネル２５４の配当表示パネル被係合部２５４１ｂに係合する配当表示パネル上側フック部２５３ｅ及び配当表示パネル下側フック部２５３ｆが設けられている。
配当表示パネル上側フック部２５３ｅ及び配当表示パネル下側フック部２５３ｆは、上下方向に撓むように弾性変形し、配当表示パネル被係合部２５４１ｂを通り抜けると元の形状に復元して、当該配当表示パネル被係合部２５４１ｂの縁部に引っ掛かるようになっている。なお、下側配当表示パネル２５３を取り外す場合には、配当表示パネル上側フック部２５３ｅを押し下げ、また、配当表示パネル下側フック部２５３ｆを押し上げるように撓ませることにより、配当表示パネル被係合部２５４１ｂの縁部との係合を解除することができる。
【００４３】
下側ベースパネル２５４は、透明の合成樹脂により形成され、正面視にて略矩形状をなし、装飾パネル２５２及び下側配当表示パネル２５３が配設される広面部２５４ａと、広面部２５４ａの所定位置から後方に突出して、前扉２の下部パネル取付部８２と係合する下部パネル上側フック部２５４ｂ及び下部パネル下側フック部２５４ｃ等を備えている。
【００４４】
広面部２５４ａは、その左端部に下側配当表示パネル２５３が取付けられる下側配当表示パネル取付部２５４１が設けられ、その右側に装飾パネル２５２が配設される装飾パネル配設部２５４２が設けられている。また、広面部２５４ａの縁部には、下部パネル枠２５１と組み合わせる際に、取付用ネジ２５５が挿通される挿通孔２５４ｄ（図１２参照）が配設されている。
【００４５】
下側配当表示パネル取付部２５４１は、パネル枠２５３ｂのネジ穴２５３ｄに対応するように取付用ネジ（図示略）が挿通される４つの挿通孔２５４１ａ、…と、配当表示パネル上側フック部２５３ｅ及び配当表示パネル下側フック部２５３ｆが係合する上下の配当表示パネル被係合部２５４１ｂ等を備えている。
そして、パネル枠２５３ｂにその開口部２５３ｃから表面が露出されるように下側配当表示パネル本体２５３ａを配設し、その後、配当表示パネル下側フック部２５３ｆを下側の配当表示パネル被係合部２５４１ｂに係合させるとともに、配当表示パネル上側フック部２５３ｅを上側の配当表示パネル被係合部２５４１ｂに係合させる。その後、下側配当表示パネル取付部２５４１の挿通孔２５４１ａを介して取付用ネジをネジ穴２５３ｄに螺子込むことにより、下側配当表示パネル取付部２５４１に対する下側配当表示パネル２５３の取付けが完了する。
このように、下側配当表示パネル本体２５３ａは、下側ベースパネル２５４とパネル枠２５３ｂの縁部により挟まれた状態で取付固定される。
【００４６】
なお、下側配当表示パネル取付部２５４１は、正面視にて略矩形状の開口部２５４１ｃを有し、下側配当表示パネル２５３が取り付けられた状態で、後方側から下側配当表示パネル本体２５３ａの所定位置に発給証紙（図示略）を貼付することができるようになっている。
【００４７】
装飾パネル配設部２５４２は、平面視にて装飾パネル本体２５２ａよりもわずかに小さい矩形状に形成され、後方側に所定の深さ凹んだ凹室部２５４２ａを有している。
凹室部２５４２ａは、下側ベースパネル２５４に下部パネル枠２５１が組み付けられた状態で、横長開口部２５１ａの内側に配置されるものである。そして、装飾パネル本体２５２ａが配設された状態では、当該装飾パネル本体２５２ａの裏面と凹室部２５４２ａの後壁前面との間に空間が形成された状態となり、装飾パネル配設部２５４２の装飾パネル本体２５２ａに装飾体２５２ｂを取付可能な後方部分が取付用ネジ２５２ｃと干渉しないようになっている。
また、凹室部２５４２ａの縁部の外側には、装飾パネル本体２５２ａを位置決めするための位置決め用凸部２５４２ｂ（図１２（ａ）参照）が配設されている。
【００４８】
そして、装飾体２５２ｂが取付けられた装飾パネル本体２５２ａを位置決め用凸部２５４２ｂにより位置決めするようにして装飾パネル配設部２５４２に配設する。その後、下部パネル枠２５１の開口部２５１ａの縁部により装飾パネル本体２５２ａの縁部を押圧するように当該下部パネル枠２５１と下側ベースパネル２５４を組み合わせて、挿通孔２５４ｄを介して取付用ネジ２５５をネジ穴２５１ｂに螺子込むことにより、下側ベースパネル２５４と下部パネル枠２５１を結合させる。このようにして、装飾パネル配設部２５４２に対する装飾パネル２５２の配設を完了する。
これにより、下部パネル枠２５１の開口部２５１ａから表面が露出されるように装飾パネル２５２が配設された状態となり、広面部２５４ａの凹室部２５４２ａの後壁前面が取付用ネジ２５２ｃのねじ頭部と近接された状態となる。
なお、近接とは、当接した状態を含むものとする。
【００４９】
下部パネル下側フック部２５４ｃは、側面視にて略「Ｌ」字状をなす部材であり、その先端の鉤状部を下部パネル被係合部８２１（後述）に係止可能となっている。
下部パネル上側フック部２５４ｂは、上下方向に撓むように弾性変形し、下部パネル被係合部８２１を通り抜けると元の形状に復元して、下部パネル被係合部８２１の縁部に引っ掛かるようになっている。なお、下部パネル２５を取り外す場合には、下部パネル上側フック部２５４ｂを押し下げるように撓ませることにより、下部パネル被係合部８２１の縁部との係合を解除することができる。
【００５０】
下部パネル取付部（装飾パネル取付部）８２は、下部パネル上側フック部２５４ｂ及び下部パネル下側フック部２５４ｃに対応させて、スタートレバー２１及び鍵穴２３の下側と灰皿２６及び受け皿２７の上側の４箇所に下部パネル被係合部８２１が配設されている。
そして、下部パネル下側フック部２５４ｃを下側の下部パネル被係合部８２１に引っ掛けて、略起立状態となるように当該下部パネル２５を傾倒させることにより、下部パネル上側フック部２５４ｂを上側の下部パネル被係合部８２１に係合させる。これにより、前扉２の下部パネル取付部８２に対する下部パネル２５の取付けが完了する。
【００５１】
上下の下部パネル被係合部８２１の間には、下部パネル２５を後方から照らす２本の冷陰極管（発光源）８２２、８２２が設けられている。
冷陰極管８２２は、前扉２の表面よりも所定の深さ凹むように形成され、当該冷陰極管８２２の光を前方に向けて反射する前方開口の反射凹部８２３の内側に配設されている。即ち、冷陰極管８２２は、下部パネル取付部８２に取り付けられた下部パネル２５の後方に設けられている。
【００５２】
次に、下側配当表示パネル２５３の取り外し方法について説明する。
先ず、機枠８に対して前扉２を開状態とし、下部パネル上側フック部２５４ｂと下部パネル被係合部８２１の係合を解除した後、下部パネル２５を手前側に所定の角度傾倒させ、斜め上方に引き上げることにより、下部パネル被係合部８２１に対する下部パネル下側フック部２５４ｃの係止を解除して、下部パネル２５を前扉２から取り外す。
その後、下側ベースパネル２５４の挿通孔２５４ｄを介してパネル枠２５３ｂのネジ穴２５３ｄに螺子込まれた取付用ネジ（図示略）を所定方向と反対方向に回転させて螺合を解除する。そして、配当表示パネル上側フック部２５３ｅと上配当表示パネル被係合部２５４１ｂの係合及び配当表示パネル下側フック部２５３ｆと配当表示パネル被係合部２５４１ｂの係合を解除して、下側配当表示パネル２５３を前扉２から取り外す。
【００５３】
以上のような構成を有するパチスロ遊技機１においては、遊技者がメダル投入口１５からメダルを投入することによってベットされ、そのベット数に応じて有効ラインが設定される。また、最大ベット数を超えるメダルの投入があった場合であって、クレジット可能とされている場合は、所定数までクレジットとして記憶される。また、クレジットとして記憶されているメダルがある場合は、マックスベットボタン１６を操作することで、クレジットが最大ベット数以上あれば最大ベット数までベットされる。なお、クレジットが最大ベット数未満の場合は、クレジットのすべてがベットされる。また、１ベットボタンを操作すると１枚ずつベットされる。
【００５４】
ベットを行った後、スタートレバー２１を操作することによって、遊技制御装置（図示略）において抽選処理がなされて役の当選の有無が決定され、変動表示装置７の変動表示が開始される。所定時間経過後、リールストップボタン２４ａ，２４ｂ，２４ｃを押すことによって、遊技制御装置における役の当選の有無に基づく停止制御により変動表示装置７が停止する。そして、変動表示装置７において、有効ライン上で当選した役に対応する図柄組合せ態様が導出された場合に役が成立し、該図柄組合せ態様に対応した枚数のメダルがメダル払出装置（図示略）から払い出されるとともに受け皿２７に排出される。もしくは、クレジットとして記憶される。
【００５５】
以上で一区切りのゲームが終了し、以降、この操作を繰り返すことによって遊技を行うようになっている。なお、当選した役によっては、リールストップボタン２４ａ，２４ｂ，２４ｃを押すタイミングによっては役が成立しない場合がある（いわゆる取りこぼし）。ただし、当選した役が特別役であった場合は、これらの役が成立するまで継続して役の成立の権利が毎回のゲームに持ち越される。また、特別図柄組合せ態様のうちの何れかが導出されて特別役が成立した場合は、容易に多量の遊技媒体を獲得可能な特別遊技状態を実行可能となる。
【００５６】
以上のように、本実施形態のパチスロ遊技機１は、機枠８に開閉自在に取り付けられた前扉２の前側に装飾が施されたメインパネル８０が取り付けられたパチスロ遊技機１において、メインパネル８０と別体で前扉２に着脱自在に配設された上側配当表示パネル９０を備え、メインパネル８０は、上側配当表示パネル９０を後方側からネジ止めするための取付用ネジが挿通される挿通孔８０Ｌ、８０Ｒを備え、上側配当表示パネル９０は、挿通孔８０Ｌ、８０Ｒに挿通された取付用ネジが螺合するネジ穴９１ｂを有し、当該上側配当表示パネル９０を前扉２に取り付けるための上側フレーム９１を備え、機枠８に対して前扉２を開状態とし、ネジ穴９１ｂと取付用ネジの螺合を解除することにより、前扉２から取り外されるようになっている。
【００５７】
従って、メインパネル８０と別体で前扉２に着脱自在に配設された上側配当表示パネル９０を備え、上側配当表示パネル９０は、当該上側配当表示パネル９０を前扉２に取り付けるための上側フレーム９１を備えているので、機種毎の交換の際や同一機種で同一装飾のパチスロ遊技機１のパネル交換の際に装飾が施されたメインパネル８０を交換する必要がなくなって、上側配当表示パネル９０のみを交換することにより、同一機種で配当や役構成の異なるパチスロ遊技機１を提供することができる。
また、機枠８に対して前扉２を開状態とし、上側配当表示パネル９０のネジ穴９１ｂと取付用ネジの螺合を解除することにより、前扉２から上側配当表示パネル９０を取り外すことができるので、上側配当表示パネル９０のみの交換作業を簡便に行うことができ、コストを削減することができる。このとき、メインパネル８０はそのまま残して使用することができるので、低コストで配当違いのパチスロ遊技機１を提供することができる。
【００５８】
また、上側フレーム９１は、当該上側フレーム９１の下部の所定位置から後方に突出した突起部９１ａを備え、前扉２は、上側配当表示パネル９０の上端部が係合するスリット８１ａを備え、メインパネル８０は、突起部９１ａが係合する係合穴部８０ａを備えている。
【００５９】
従って、前扉２は、上側配当表示パネル９０の上端部が係合するスリット８１ａを備え、メインパネル８０は、上側配当表示パネル９０の突起部９１ａが係合する係合穴部８０ａを備えているので、上側配当表示パネル９０の配設に際して、前扉２のスリット８１ａに上端部を係合させ、メインパネル８０の係合穴部８０ａに突起部９１ａを係合させることにより、当該上側配当表示パネル９０の位置決めを容易に行うことができる。この結果、上側配当表示パネル９０の配設作業や交換作業を簡便に行うことができることとなって、作業性を向上させることができる。
【００６０】
なお、本発明は、上記実施形態に限定されることなく、本発明の趣旨を逸脱しない範囲において、種々の改良並びに設計の変更を行っても良い。
上記実施形態にあっては、前扉２にスリット８１ａを設けるようにしたが、前扉２の構造はこれに限られるものではない。
また、上側フレーム９１は突起部９１ａを備えるようにしたが、上側フレーム９１の構造はこれに限られるものではない。
さらに、メインパネル８０は係合穴部８０ａを備えるようにしたが、メインパネル８０の構造はこれに限られるものではない。
【００６１】
なお、本発明は上述したパチスロ遊技機１に限られるものではなく、メダルではなく遊技球を用いて遊技を行うスロットマシンなど、その他の回胴式遊技機にも適用可能である。
【００６２】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】本発明を適用した一実施形態のパチスロ遊技機を示す正面図である。
【図２】図１のパチスロ遊技機の前扉を示す斜視図である。
【図３】図２の前扉を示す背面図である。
【図４】図２のIV−IV線における前扉の要部拡大断面図である。
【図５】図２の前扉に取り付けられた上側配当表示パネルを示す斜視図である。
【図６】図５の上側配当表示パネルを示す背面図である。
【図７】図５のVII−VII線における上側配当表示パネルの断面図である。
【図８】図５の上側配当表示パネルを示す分解斜視図である。
【図９】図２の前扉に取り付けられた下部パネルを示す正面図である。
【図１０】図９の下部パネルを示す背面図である。
【図１１】図９のXI−XI線における下部パネルの断面図である。
【図１２】図９の下部パネルを示す分解斜視図である。
【符号の説明】
【００６４】
１      パチスロ遊技機（スロットマシン）
２      前扉
８      機枠
８０    メインパネル（前面パネル）
８０ａ  係合穴部
８０Ｌ、８０Ｒ  挿通孔
８１ａ  スリット（係合凹部）
８２    下部パネル取付部（装飾パネル取付部）
８２２  冷陰極管（発光源）
８２３  反射凹部
９０    上側配当表示パネル
９１    上側フレーム（パネル取付部）
９１ａ  突起部
９２    上側配当表示パネル本体
９３    上側ベースパネル
２５    下部パネル
２５１  下部パネル枠（前側パネル）
２５２  装飾パネル
２５２ａ  装飾パネル本体
２５２ｂ  装飾体
２５２ｃ  取付用ネジ
２５３  下側配当表示パネル
２５３ｂ  パネル枠
２５４  下側ベースパネル（パネル取付部）
２５４ｂ  下部パネル上側フック部（パネル係合部）
２５４ｃ  下部パネル下側フック部（パネル係合部）
２５４２ａ  凹室部
２５５  取付用ネジ
【図１】
2008284023.tif 000003
【図２】
2008284023.tif 000004
【図３】
2008284023.tif 000005
【図４】
2008284023.tif 000006
【図５】
2008284023.tif 000007
【図６】
2008284023.tif 000008
【図７】
2008284023.tif 000009
【図８】
2008284023.tif 000010
【図９】
2008284023.tif 000011
【図１０】
2008284023.tif 000012
【図１１】
2008284023.tif 000013
【図１２】
2008284023.tif 000014